(57)【要約】      （修正有）【課題】複雑なシール構造を不要とし、通気性を維持しながら、雨や雪が入り込みにくい、建造費や維持費が低廉な開閉式の屋根構造を提供する。【解決手段】固定屋根２に開口部を形成し、開口部を可動屋根３によって覆うようにした開閉式の屋根構造において、開口部の側縁に沿って、起立壁を固定屋根２から立ち上げて形成するとともに、平側の起立壁と平行に、走行レール４を固定屋根２に敷設し、走行レール４を走行する走行輪を介して、可動屋根３を走行レール４に沿って移動可能に配置し、開口部の全部が可動屋根３によって覆われる閉位置と、開口部の少なくとも一部が開放される開位置とに、可動屋根３を選択的に位置させることができるようにし、さらに、可動屋根３に、起立壁の外側に垂れ下がる垂下壁３１、３３を形成する。【選択図】図１
2017066621.tif 000002
【特許請求の範囲】
【請求項１】
固定屋根に開口部を形成し、該開口部を可動屋根によって覆うようにした開閉式の屋根構造において、開口部の側縁に沿って、起立壁を固定屋根から立ち上げて形成するとともに、平側の起立壁と平行に、走行レールを固定屋根に敷設し、該走行レールを走行する走行輪を介して、可動屋根を走行レールに沿って移動可能に配置し、開口部の全部が可動屋根によって覆われる閉位置と、開口部の少なくとも一部が開放される開位置とに、可動屋根を選択的に位置させることができるようにし、さらに、可動屋根に、起立壁の外側に垂れ下がる垂下壁を形成したことを特徴とする開閉式の屋根構造。
【請求項２】
可動屋根から垂れ下がる垂下壁の少なくとも一部を２重に形成したことを特徴とする請求項１記載の開閉式の屋根構造。
【請求項３】
可動屋根が閉位置に位置するときに、可動屋根の一端部が挿入される固定覆い部を固定屋根から立ち上げて形成したことを特徴とする請求項１又は２記載の開閉式の屋根構造。
【請求項４】
固定屋根及び可動屋根が、切妻造からなることを特徴とする請求項１、２又は３記載の開閉式の屋根構造。
【発明の詳細な説明】
【技術分野】
【０００１】
本発明は、開閉式の屋根構造に関し、特に、固定屋根に開口部を形成し、該開口部を可動屋根によって覆うようにした開閉式の屋根構造に関するものである。
【背景技術】
【０００２】
近年、開閉式の屋根を備えた大型競技場施設等が、設計され、建造されている（例えば、特許文献１参照。）。
【０００３】
ところで、この種の開閉式の屋根は、固定屋根と可動屋根とからなり、固定屋根に形成された開口部を可動屋根によって覆うようにされている。
そして、可動屋根を移動可能にするために、固定屋根に走行レールを敷設し、この走行レールを走行する走行輪を介して、可動屋根を走行レールに沿って移動可能に配置するようにされている。
【先行技術文献】
【特許文献】
【０００４】
【特許文献１】特開平１０-２９９１５４号公報
【発明の概要】
【発明が解決しようとする課題】
【０００５】
ところで、固定屋根と可動屋根とからなる開閉式の屋根は、固定屋根と可動屋根との間に隙間があり、この隙間を通して、雨や雪が入り込みやすく、また、これを防止するためには、複雑なシール構造が必要で、メンテナンスにも手数を要し、建造費や維持費が高額になるという問題があった。
【０００６】
本発明は、上記従来の固定屋根と可動屋根とからなる開閉式の屋根の有する問題点に鑑み、複雑なシール構造を不要とし、通気性を維持しながら、雨や雪が入り込みにくい、建造費や維持費が低廉な開閉式の屋根構造を提供することを目的とする。
【課題を解決するための手段】
【０００７】
上記目的を達成するため、本発明の開閉式の屋根構造は、固定屋根に開口部を形成し、該開口部を可動屋根によって覆うようにした開閉式の屋根構造において、開口部の側縁に沿って、起立壁を固定屋根から立ち上げて形成するとともに、平側の起立壁と平行に、走行レールを固定屋根に敷設し、該走行レールを走行する走行輪を介して、可動屋根を走行レールに沿って移動可能に配置し、開口部の全部が可動屋根によって覆われる閉位置と、開口部の少なくとも一部が開放される開位置とに、可動屋根を選択的に位置させることができるようにし、さらに、可動屋根に、起立壁の外側に垂れ下がる垂下壁を形成したことを特徴とする。
【０００８】
この場合において、可動屋根から垂れ下がる垂下壁の少なくとも一部を２重に形成することができる。
【０００９】
また、可動屋根が閉位置に位置するときに、可動屋根の一端部が挿入される固定覆い部を固定屋根から立ち上げて形成することができる。
【００１０】
また、固定屋根及び可動屋根が、切妻造からなるようにすることができる。
【発明の効果】
【００１１】
本発明の開閉式の屋根構造によれば、固定屋根に開口部を形成し、該開口部を可動屋根によって覆うようにした開閉式の屋根構造において、開口部の側縁に沿って、起立壁を固定屋根から立ち上げて形成するとともに、平側の起立壁と平行に、走行レールを固定屋根に敷設し、該走行レールを走行する走行輪を介して、可動屋根を走行レールに沿って移動可能に配置し、開口部の全部が可動屋根によって覆われる閉位置と、開口部の少なくとも一部が開放される開位置とに、可動屋根を選択的に位置させることができるようにし、さらに、可動屋根に、起立壁の外側に垂れ下がる垂下壁を形成することにより、固定屋根から立ち上げて形成した起立壁と、この起立壁の外側に垂れ下がる可動屋根に形成した垂下壁とによって、ラビリンス形状の空気通路が形成され、この空気通路を介して通気性を維持しながら、雨や雪が入り込みにくい、建造費や維持費が低廉な開閉式の屋根構造を提供することができる。
【００１２】
また、可動屋根から垂れ下がる垂下壁の少なくとも一部を２重に形成することにより、外側の垂下壁から入り込んで吹き上がった雨や雪が、内側の垂下壁によって遮断されるため、通気性を維持しながら、雨や雪がより入り込みにくい構造とすることができる。
【００１３】
また、可動屋根が閉位置に位置するときに、可動屋根の一端部が挿入される固定覆い部を固定屋根から立ち上げて形成することにより、可動屋根の一端側を開放状態に形成することができる。
【００１４】
また、固定屋根及び可動屋根が、切妻造からなるようにすることにより、単純な形状で雨じまいの容易な構造とすることができる。
【図面の簡単な説明】
【００１５】
【図１】本発明の開閉式の屋根構造を適用した建築構造物の一実施例を示し、（ａ）は正面図、（ｂ）は背面図、（ｃ）は右側面図、（ｄ）は左側面図である。
【図２】同（ａ）は平面図、（ｂ）は可動屋根を省略した平面図、（ｃ）は要部の縦断面図である。
【図３】同（ａ）は側面断面図、（ｂ）は可動屋根の側面断面図、（ｃ）は可動屋根の固定機構を示す説明図である。
【図４】同（ａ）は走行輪及び浮き上がり防止機構を示す説明図、（ｂ）は集電機構を示す説明図、（ｃ）は走行制御機構を示す説明図、（ｄ）はガイドローラを示す説明図ある。
【発明を実施するための形態】
【００１６】
以下、本発明の開閉式の屋根構造の実施の形態を、図面に基づいて説明する。
【００１７】
図１〜図４に、本発明の開閉式の屋根構造を適用した建築構造物の一実施例を示す。
この建築構造物１に適用されている屋根構造は、固定屋根２に矩形の開口部２１を形成し、この開口部２１を可動屋根３によって覆うようにした開閉式の屋根構造において、開口部２１の側縁に沿って、起立壁２２を固定屋根２から立ち上げて形成するとともに、平側の起立壁２２と平行に、走行レール４を固定屋根２に敷設し、この走行レール４を走行する走行輪５１を介して、可動屋根３を走行レール４に沿って移動可能に配置し、開口部２１の全部が可動屋根３によって覆われる閉位置と、開口部２１の少なくとも一部が開放される開位置とに、可動屋根３を選択的に位置させることができるようにし、さらに、可動屋根３に、起立壁２２の外側に垂れ下がる垂下壁３１、３２、３３を形成するようにしている。
【００１８】
この場合において、固定屋根２に開口部２１の側縁に沿って立ち上げて形成した起立壁２２は、矩形の開口部２１の側縁を囲うように形成することによって、開口部２１に雨や雪が浸入しないようにしている。
この起立壁２２は、本実施例においては、後述の固定覆い部９を形成した開口部２１の妻側の側縁を除く３側縁に沿ってコ字状に形成するようにしているが、開口部２１の全周に亘って形成することもできる。
【００１９】
また、可動屋根３に形成した垂下壁３１、３２、３３のうち、可動屋根３の平側に形成した垂下壁３１、３２は、可動屋根３の平側の外壁を構成する垂下壁３１と、走行レール４を挟んで間隔をあけて、その内側に形成した垂下壁３２とから構成されているが、内側に形成した垂下壁３２を省略することもできる。
一方、可動屋根３の一方の妻側に形成した垂下壁３３は、可動屋根３の平側の外壁を構成するようにしているが、必要に応じて、その内側に垂下壁を形成することができる。
【００２０】
そして、固定屋根２から立ち上げて形成した起立壁２２と、この起立壁２２の外側に垂れ下がる可動屋根３に形成した垂下壁３１、３２、３３とによって、ラビリンス形状の空気通路が形成され、この空気通路を介して通気性を維持しながら、雨や雪が入り込みにくい、建造費や維持費が低廉な開閉式の屋根構造を提供することができる。
特に、可動屋根３から垂れ下がる垂下壁を、外壁を構成する垂下壁３１と、その内側に形成した垂下壁３２とで２重に形成することにより、外側の垂下壁３１から入り込んで吹き上がった雨や雪が、内側の垂下壁３２によって遮断されるため、通気性を維持しながら、雨や雪がより入り込みにくい構造とすることができる。
【００２１】
また、可動屋根３が走行レール４に沿って移動する際に、可動屋根３と起立壁２２及び走行レール４とが干渉しないように、可動屋根３の他方の妻側に垂下壁を設けずに、開放状態に形成することができる。
そして、開放状態に形成した可動屋根３の一端側から雨や雪が入り込まないように、図２（ｃ）に示すように、可動屋根３が閉位置に位置するときに、可動屋根３の垂下壁３３を設けていない側の端部が挿入される固定覆い部９を固定屋根２から立ち上げて形成するようにしている。
【００２２】
また、可動屋根３の一方の妻側に形成した垂下壁３３には、通気口３４を形成するようにし、これにより、通気性を一層高めることができるようにしている。
そして、この通気口３４は、可動屋根３が走行レール４に沿って移動する際に、可動屋根３と走行レール４とが干渉しないようにするための機能を併せ有している。
なお、建築構造物１の建築方向は、建築構造物を構築する場所の気候条件等に合わせて、設定することができる。
【００２３】
また、可動屋根３の平側に形成した垂下壁３１、３２には、点検口３５を形成するようにしている。
この点検口３５は、開放状態とするほか、必要に応じて、扉を設けることもできる。
【００２４】
走行レール４は、固定屋根２から立ち上げて形成した支持部４０の上端に敷設するようにしている。
走行レール４の敷設長さは、開口部２１の全部が開放できる長さ、具体的には、可動屋根３の全長の約２倍の長さに設定するようにしている。
【００２５】
また、走行レール４には、図２（ｂ）に示すように、長手方向の両端位置に走行輪５１の車止め４１を配設し、可動屋根３の走行範囲を規制するようにする。
なお、車止め４１は、ゴム製の緩衝部材で構成することで、走行輪５１の衝撃を吸収するようにしている。
【００２６】
また、走行レール４には、図２（ｂ）及び図３（ｃ）に示すように、開口部２１の全部が可動屋根３によって覆われる閉位置及び開口部２１の全部が開放される全開位置に対応する２位置に固定ベース４２を配設し、この固定ベース４２に、走行輪５１の支持部材５に取り付けたパワーシリンダ８１によって作動されるピン部材８２を挿入することにより、可動屋根３を固定設置できるようにしている。
なお、固定ベース４２は、上記２位置の中間位置に増設してもよく、これにより、開口部２１の一部が開放される半開位置で可動屋根３を固定設置することができる。
【００２７】
走行レール４は、Ｉ形鋼からなり、図４（ａ）に示すように、Ｉ形鋼の上フランジの上面を走行輪５１が走行するようにする。
また、図４（ｄ）に示すように、Ｉ形鋼の上フランジの側端面を、走行輪５１の支持部材５に取り付けたガイドローラ５２のガイド面とするとともに、上下のフランジに挟まれた空間に、走行輪５１の支持部材５に取り付けた浮き上がり防止機構としてのブラケット５３を挿入するようにしている。
【００２８】
また、図４（ｂ）に示すように、走行レール４のＩ形鋼の下フランジには、トロリーダクト６１を取り付け、走行輪５１の支持部材５に取り付けたトロリー６２を介して、可動屋根３の走行駆動機構の電動機や制御機器に電力を供給するようにし、これにより、可動屋根３の走行を無線制御等によって行うことができるようにしている。
そして、このように、可動屋根３の走行を走行駆動機構により行うようにしていることから、必要に応じて、安全装置、具体的には、可動屋根３が固定ベース４２にピン部材８２が挿入された固定設置状態とピン部材８２が引き抜かれた走行可能状態のいずれの状態にあるかが遠隔で視覚や聴覚で検知できる機構を設けるようにする。
【００２９】
また、図４（ｃ）に示すように、走行輪５１の支持部材５に走行制御機構としてのリミットスイッチ７１を取り付け、走行レール４のＩ形鋼の下フランジに取り付けたリミットスイッチ蹴り金具７２によって、リミットスイッチ７１を動作させることで、可動屋根３の走行速度や停止位置の制御を行うようにしている。
【００３０】
ところで、本実施例においては、固定屋根２及び可動屋根３を、単純な形状で雨じまいの容易な構造とすることができる、切妻造からなるようにしているが、これに限定されず、二種類の屋根勾配からなるマンサード造や、Ｒ屋根からなるかまぼこ屋根造を採用することもできる。
【００３１】
以上、本発明の開閉式の屋根構造について、その実施例に基づいて説明したが、本発明は上記実施例に記載した構成に限定されるものではなく、その趣旨を逸脱しない範囲において適宜その構成を変更することができるものである。
【産業上の利用可能性】
【００３２】
本発明の開閉式の屋根構造は、複雑なシール構造を不要とし、通気性を維持しながら、雨や雪が入り込みにくい、建造費や維持費が低廉な開閉式の屋根構造を提供できることから、開閉式の屋根を備えた建築構造物に広く用いることができる。
【符号の説明】
【００３３】
１  建築構造物
２  固定屋根
２１  開口部
２２  起立壁
３  可動屋根
３１  垂下壁
３２  垂下壁
３３  垂下壁
３４  通気口
３５  点検口
４  走行レール
４０  支持部
４１  車止め
４２  固定ベース
５  走行輪の支持部材
５１  走行輪
５２  ガイドローラ
５３  ブラケット
６１  トロリーダクト
６２  トロリー
７１  リミットスイッチ
７２  リミットスイッチ蹴り金具
８１  パワーシリンダ
８２  ピン部材
９  固定覆い部
【図１】
2017066621.tif 000003
【図２】
2017066621.tif 000004
【図３】
2017066621.tif 000005
【図４】
2017066621.tif 000006